(57)【特許請求の範囲】
【請求項１】
洗濯槽を収容する筐体に操作パネルを備え、
前記操作パネルは、
画面が階層状に遷移するタッチパネル式の表示操作部と、
前記表示操作部に近接して配置され、表示画面が切り替わることなく入力操作のみが行われるタッチパネル式の操作部と、
前記表示操作部および前記操作部とは別の位置に配置され、前記表示操作部により設定された機能に対応する表示部を発光させる設定機能表示部と、を備え、
前記表示操作部と前記操作部は、一枚のタッチパネルで構成され、
前記表示操作部は、前記画面に対応する表示領域を有し且つ前記操作部と上下に重ならない位置に配置された表示パネルを備えることを特徴とする洗濯機。
【請求項２】
前記表示操作部と前記操作部と前記設定機能表示部とを、同一のガラス面内に配置したことを特徴とする請求項１に記載の洗濯機。
【請求項３】
前記操作部を操作した場合、運転前に前記表示操作部で設定された内容を、運転中に前記表示操作部に表示する制御部を備えたことを特徴とする請求項２に記載の洗濯機。
【請求項４】
前記操作パネルは、前記ガラス面とは別の位置に押下げ式の操作スイッチを備え、
前記制御部は、前記表示操作部と前記操作スイッチとを操作することで、前記表示操作部に前記内容とは異なる特殊操作画面を表示することを特徴とする請求項３に記載の洗濯機。
【請求項５】
前記タッチパネルは、ガラスと電極基板とを積層して構成され、かつ、前記電極基板の表側に前記ガラスが配置され、
前記ガラスの裏面には、前記操作部に対応する文字と前記表示部に対応する文字がそれぞれ印刷によって形成されていることを特徴とする請求項１から請求項４のいずれか１項に記載の洗濯機。
【発明の詳細な説明】
【技術分野】
【０００１】
本発明は、タッチパネル式の表示操作部を備えた洗濯機に関する。
【背景技術】
【０００２】
近年、複雑化した機能を簡易に操作するために、洗濯機の表示操作部としてタッチパネルを使用したものが導入されている（特許文献１参照）。
【先行技術文献】
【特許文献】
【０００３】
【特許文献１】特開２００５−３４４１３号公報
【発明の概要】
【発明が解決しようとする課題】
【０００４】
しかしながら、特許文献１に記載のようにタッチパネル式の表示操作部を使用すると、操作パネルに設けるボタン数を少なくできるものの、画面の階層が深くなり操作が複雑化してしまうことにより、使用者が現在どの操作に当たっているのか把握するのが困難になるおそれがあった。
【０００５】
本発明は、操作性の向上が可能なタッチパネル式の表示操作部を備えた洗濯機を提供することを目的とする。
【課題を解決するための手段】
【０００６】
本発明は、洗濯槽を収容する筐体に操作パネルを備え、前記操作パネルは、画面が階層状に遷移するタッチパネル式の表示操作部と、前記表示操作部に近接して配置され、表示画面が切り替わることなく入力操作のみが行われるタッチパネル式の操作部と、前記表示操作部および前記操作部とは別の位置に配置され、前記表示操作部により設定された機能に対応する表示部を発光させる設定機能表示部と、を備え、前記表示操作部と前記操作部は、一枚のタッチパネルで構成され、前記表示操作部は、前記画面に対応する表示領域を有し且つ前記操作部と上下に重ならない位置に配置された表示パネルを備えることを特徴とする。
【発明の効果】
【０００７】
本発明によれば、操作性の向上が可能なタッチパネル式の表示操作部を備えた洗濯機を提供できる。
【図面の簡単な説明】
【０００８】
【図１】本発明の実施形態に係る洗濯機を示す外観斜視図である。
【図２】操作パネルを示す平面図である。
【図３】操作パネルを示す分解斜視図である。
【図４】操作パネルの制御ブロック図である。
【図５】図２のＡ−Ａ線矢視断面図である。
【図６】図２のＢ−Ｂ線矢視断面図である。
【図７】発光部が発光する際の表示例を示す画面遷移図である。
【図８】操作部の操作に基づく表示操作部の表示例を示す画面遷移図である。
【図９】運転中の操作部の操作に基づく表示操作部の表示例を示す画面遷移図である。
【発明を実施するための形態】
【０００９】
以下、本発明を実施するための形態（以下「実施形態」という）について、適宜図面を参照しながら詳細に説明する。なお、以下では、洗濯、すすぎ、脱水、乾燥を行うことができる洗濯機（いわゆる、ドラム式の洗濯乾燥機）を例に挙げて説明するが、縦型の洗濯乾燥機、洗濯、すすぎ、脱水を行うことができる洗濯機（いわゆる、全自動洗濯機）など各種様々な洗濯機に適用することができる。
【００１０】
図１は、本発明の実施形態に係る洗濯機を示す外観斜視図である。
図１に示すように、本実施形態のドラム式洗濯乾燥機（以下、洗濯機と表記する）Ａは、洗濯から乾燥までの工程を行うことができるものであり、筐体１、外槽２（洗濯槽）、回転ドラム３（洗濯槽）、操作パネル４などを備えている。
【００１１】
筐体１は、外郭が鋼板と樹脂成型品とを組み合わせて構成されたものであり、ベースＢｓ、左右の側板１ａ，１ｂ、前面カバー１ｃ、背面カバー１ｄ、上面カバー１ｅ、下部前面カバー１ｆなどで構成されている。側板１ａ，１ｂおよび背面カバー１ｄは、例えば、鋼板をプレス成形によって構成したものである。ベースＢｓ、前面カバー１ｃ、上面カバー１ｅおよび下部前面カバー１ｆは、例えば、合成樹脂を成型して構成したものである。
【００１２】
外槽２は、洗いおよびすすぎの際に、水が注がれて溜められるドラム形の水槽であり、前面側に開口（不図示）を有する有底円筒体からなる。また、外槽２の背面には、後記する回転ドラム３を駆動させるモータ（不図示）が設けられている。
【００１３】
回転ドラム３は、洗濯兼脱水槽として機能し、外槽２内に同軸上に内包される有底円筒体からなる。また、回転ドラム３は、手前側に衣類を出し入れするための開口部（不図示）、および周壁に通水および通風のための多数の貫通孔（不図示）を有している。
【００１４】
また、回転ドラム３の内周壁には、奥行き方向（軸方向、略前後方向）に延びるリフタ（不図示）が周方向に間隔を置いて複数個設けられている。洗濯時や乾燥時に回転ドラム３が回転することで、衣類などがリフタと遠心力で周壁に沿って持ち上がり、その後重力で落下するような動きを繰り返すことで洗浄力が高められるようになっている。
【００１５】
また、洗濯機Ａには、粉末洗剤５ａ、液体洗剤５ｂ、柔軟剤５ｃをそれぞれ別々に投入できる洗剤ケース５、水道栓から給水を行う給水ホース接続口６ａ、風呂の残り湯を導入する風呂水ホース接続口６ｂ、外槽２を弾性的に支持して運転時の振動を抑制するダンパ７（一部のみ図示）、衣類を出し入れする扉８、乾燥工程時に発生する塵埃を除去する乾燥フィルタ９などが設けられている。
【００１６】
なお、図示していないが、洗濯機Ａは、外槽２内の空気を除湿する除湿手段（例えば、水冷式の除湿機構）、除湿した空気を加熱する加熱手段（ヒータ）、外槽２（回転ドラム３）内と加熱手段および除湿手段との間において空気を循環させる循環手段（電動ファン）などを備えている。
【００１７】
図２は、操作パネルを示す平面図である。
図２に示すように、操作パネル４は、表示操作部１０、操作部１１、設定機能表示部１２、スタート・一時停止を行う押下げ式の操作スイッチ１３、電源入スイッチ１４、電源切スイッチ１５、制御部１６（図３参照）を備え、上面カバー１ｅの前端部右寄りに設置されている。つまり、本実施形態の洗濯機Ａでは、運転のスタート操作、運転の一時停止操作、電源入り操作、電源切り操作を除く操作について、表示操作部１０および操作部１１の操作によって行われるものである。
【００１８】
表示操作部１０は、タッチパネル式のものであり、例えば、動作条件の設定および運転状況の表示を行うものである。なお、動作条件の設定とは、洗濯のみを行う洗濯コース、洗濯から乾燥までを通して行う洗濯／乾燥コース、乾燥のみを行う乾燥コースなどの運転コースの設定や、洗濯時の洗い時間、すすぎ回数、脱水時間、脱水時または乾燥時の乾き具合、予約時間などの各運転コースにおける詳細な条件設定などである。運転状況の表示とは、現在（運転中）の運転状況を表示するものであり、例えば、洗濯コースであれば、洗い工程中、すすぎ工程中、脱水工程中、運転終了までの残り時間などの表示である。
【００１９】
図２は、表示操作部１０がホーム画面を示し、つまり電源入スイッチ１４を押して洗濯機Ａを起動（電源オン）したときに表示操作部１０に最初に表示される画面を示している。すなわち、図２に示す表示操作部１０のホーム画面は、運転コースを選択する「ホーム」タブ１０ａ、予約時間を設定する「予約」タブ１０ｂ、槽洗浄の有無などを選択する「清潔」タブ１０ｃ、「その他」タブ１０ｄを有している。「ホーム」タブ１０ａには、洗濯コースを選択する「洗濯」ボタン１０ａ１、洗濯乾燥コースを選択する「洗濯乾燥」ボタン１０ａ２、乾燥コースを選択する「乾燥」ボタン１０ａ３が含まれている。
【００２０】
図２に示す表示操作部１０のホーム画面において、入力操作することで、「洗濯」ボタン１０ａ１、「洗濯乾燥」ボタン１０ａ２、「乾燥」ボタン１０ａ３に対応した１階層下の画面に遷移する。
【００２１】
操作部１１は、タッチパネル式のものであり、前記した表示操作部１０のように表示画面が適宜切り替わるものではなく、入力操作のみが行われるものである。この操作部１１は、表示操作部１０に用いられるタッチパネル３０（図４参照）の一部分を使用したものである。つまり、表示操作部１０と操作部１１とは、一枚のタッチパネル３０で構成されたものである。これにより、部品を共有することができ、製造コストを低減することが可能になる。
【００２２】
すなわち、操作部１１は、表示操作部１０の画面をホーム画面に遷移させる「ホーム」ボタン１１ａ、ひとつ上の階層の画面に戻る「もどる」ボタン１１ｂ、現在設定されている機能の説明や運転内容を表示させる「おしえて」ボタン１１ｃを備えている。「ホーム」ボタン１１ａ、「もどる」ボタン１１ｂおよび「おしえて」ボタン１１ｃは、縦一列に配置されている。また、「ホーム」ボタン１１ａ、「もどる」ボタン１１ｂおよび「おしえて」ボタン１１ｃからなる操作部１１は、表示操作部１０の右側に近接して配置されている。
【００２３】
設定機能表示部１２は、表示操作部１０によって設定された機能を点灯させる表示部１２ａ，１２ｂ，１２ｃ，１２ｄ，１２ｅ，１２ｆ，１２ｇを備えている。これら表示部１２ａ〜１２ｇは、表示操作部１０および操作部１１の上方近傍において横一列に配置されている。
【００２４】
表示部１２ａは、「お湯取」の文字で構成され、お湯取りとしての機能を選択したときに点灯するものである。なお、お湯取りとは、風呂の残り湯（風呂水）をポンプで自動的に汲み上げて、洗濯に利用する機能である。
【００２５】
表示部１２ｂは、「洗い」の文字で構成され、洗い時に風呂水を使用する機能を選択したときに点灯するものである。表示部１２ｃは、「すすぎ１」の文字で構成され、１回目のすすぎ時に風呂水を使用する機能を選択したときに点灯するものである。表示部１２ｄは、「すすぎ２」の文字で構成され、２回目のすすぎ時に風呂水を使用する機能を選択したときに点灯するものである。
【００２６】
表示部１２ｅは、槽洗浄を意味する絵文字で構成され、槽洗浄を実行する機能を選択したときに点灯するものである。なお、槽洗浄とは、洗濯槽（外槽２の内面および回転ドラム３の外面）を清水（水道水など）で洗浄して洗濯槽を清潔に保つ自動おそうじ機能である。表示部１２ｆは、槽乾燥を意味する絵文字で構成され、槽乾燥を実行する機能を選択したときに点灯するものである。なお、槽乾燥とは、洗濯槽を乾燥させてカビの発生を抑える自動おそうじ機能である。
【００２７】
表示部１２ｇは、「ｅｃｏ水センサー」の２段書きの文字で構成され、この機能を選択したときに点灯するものである。「ｅｃｏ水センサー」とは、使用水量、洗剤量、洗濯時間を適切に調整する機能である。
【００２８】
また、操作パネル４は、扉８がロック状態であるときに点灯する絵文字からなる表示部１２ｈ、洗濯槽が高温である場合に点灯する「高温」の文字からなる表示部１２ｉ、糸屑フィルタおよび乾燥フィルタ９のお手入れが必要である場合に点灯する「フィルタ」の文字からなる表示部１２ｊを備えている。これら表示部１２ｈ〜１２ｊは、表示部１２ａ〜１２ｇの右隣りに横一列に並んで配置されている。
【００２９】
また、例えば、表示部１２ａ〜１２ｄ，１２ｆは、橙色で発光し、表示部１２ｅは青色で発光し、表示部１２ｇは、緑色で発光し、表示部１２ｈ〜１２ｊは、赤色で発光するように構成されている。
【００３０】
図３は、操作パネルを示す分解斜視図である。なお、図３では、各部材の積層方向が上下方向である。
図３に示すように、操作パネル４は、カバー２０、タッチパネル３０、タッチパネルガイド４０、表示パネル５０、表示パネルガイド６０、基板７０、基板ケース８０、ケースパッキン９０、パネルパッキン１００およびハーネスパッキン１１０が組み合わされて構成されている。
【００３１】
カバー２０は、タッチパネル３０が露出する矩形状に切り欠かれた窓部２０ａを有している。また、カバー２０には、筐体１（図１参照）にねじ固定する際のねじ挿通孔２０ｂが複数個所に形成されている。この窓部２０ａ内に、表示操作部１０の表示操作面、操作部１１の操作面、設定機能表示部１２の発光面が位置している。
【００３２】
また、カバー２０の裏面には、窓部２０ａの周囲を囲むようにリブ２０ｄ（図５、図６参照）が略四角枠状に形成されている。なお、リブ２０ｄ（図５、図６参照）は、後記する、タッチパネルガイド４０、基板７０およびフレキシブル基板３１を含む領域の外側を囲むことができるように構成されている。また、リブ２０ｄ（図５、図６参照）は、後記する基板ケース８０の溝８０ｃと対応するように構成されている。
【００３３】
タッチパネル３０は、例えば、静電容量式のもので構成され、左右方向に延びる複数本の透明電極（不図示）と前後方向に延びる複数本の透明電極（不図示）とが絶縁膜（不図示）を挟んで交差して配置されることで構成されている。この静電容量式のタッチパネル３０では、指が接触していない場合の容量と、指が接触している場合の容量との差分を検出することで、操作された位置（領域）を検出できるようになっている。
【００３４】
また、タッチパネル３０は、強化ガラス（ガラス）３２（図５、図６参照）と電極基板３３（図５、図６参照）とが積層された構成であり、上側（表側）に強化ガラス３２が配置されている。なお、強化ガラス３２の裏面には、スクリーン印刷などによって、表示部１２ａ，１２ｂ，１２ｃ，１２ｄ，１２ｇ，１２ｉ，１２ｊを構成する文字、表示部１２ｅ，１２ｆ，１２ｈを構成する絵文字、「ホーム」ボタン１１ａ、「もどる」ボタン１１ｂおよび「おしえて」ボタン１１ｃに対応する文字が形成されている。
【００３５】
また、タッチパネル３０は、外周縁部が、窓部２０ａの開口縁部と上下方向において重なるように、カバー２０の窓部２０ａの開口面積よりも大きく形成されている。
【００３６】
また、タッチパネル３０は、操作された位置情報信号を取り出すためのフレキシブル基板３１（配線、ＦＰＣ：Flexible printed circuits）を備えている。このフレキシブル基板３１は、ポリイミドなどの絶縁フィルムに銅などの導体箔を設けることによって構成され、後記する基板７０と接続されている。
【００３７】
タッチパネルガイド４０は、タッチパネル３０を支持する合成樹脂製のもので形成され、タッチパネル３０の外周縁部が支持される支持部４１を有している。また、タッチパネルガイド４０は、支持部４１の内側に、後記する表示パネル５０が挿入される略矩形状の開口部４２を有している。
【００３８】
また、タッチパネルガイド４０は、支持部４１の外周縁部から上方に向けて起立する枠部４１ａを有している。この枠部４１ａは、フレキシブル基板３１を引き出す部分を除いて全周に渡って形成されている。
【００３９】
また、タッチパネルガイド４０の下面には、タッチパネルガイド４０を基板７０上の所定位置に位置決めするための位置決め突起４３が複数個所に形成されている。
【００４０】
また、タッチパネルガイド４０は、タッチパネル３０の表示部１２ａ〜１２ｊ（図２参照）に対応する位置に導光路４４が形成されている。なお、タッチパネルガイド４０には、操作スイッチ１３（図２参照）の一部を構成するスイッチ支持部４５が一体に形成されている。このスイッチ支持部４５には、操作スイッチ１３を上下方向に動作可能に支持する支持部（不図示）が形成されている。
【００４１】
表示パネル５０は、例えば、モノクロタイプ且つバックライトを備えた液晶パネルで構成され、動作条件および動作状況などを表示するものである。なお、表示パネル５０は、液晶に限定されるものではなく、有機ＥＬなど他の薄型の表示パネルであってもよい。また、表示パネル５０は、モノクロタイプに限定されるものではなく、カラータイプであってもよい。
【００４２】
また、表示パネル５０は、タッチパネル３０の下方（後ろ側）に位置するように配置され、タッチパネル３０の表示操作部１０に対応する表示領域Ｓ１を有している。つまり、表示パネル５０の表示面は、タッチパネル３０の操作部１１と上下方向に重ならない面積で構成されている。
【００４３】
なお、図示省略しているが、表示パネル５０は、表示信号などを入力するためのフレキシブル基板（ＦＰＣ）を備えている。
【００４４】
表示パネルガイド６０は、表示パネル５０を支持するも合成樹脂製のもので形成され、表示パネル５０の下面（裏面）を支持する支持部６１（図５、図６参照）を有している。また、表示パネルガイド６０は、表示パネル５０の周囲を囲む側板６２を有し、表示パネル５０が支持部６１によって支持されることで、表示パネル５０を後記する基板７０から所定の高さで支持するようになっている。
【００４５】
基板７０は、タッチパネル３０から延びるフレキシブル基板３１と電気的に接続されるとともに、表示パネル５０に設けられたフレキシブルな電極基板（不図示）と電気的に接続されている。フレキシブル基板３１の先端には、コネクタ（不図示）が設けられ、このコネクタ（不図示）が基板７０上に設けられたコネクタ（不図示）と接続されている。
【００４６】
また、基板７０の表面（上面）には、タッチパネルガイド４０の導光路４４に対応する位置に、ＬＥＤ（Light Emitting Diode）などで構成された発光素子７１が実装されている。また、基板７０には、タッチパネルガイド４０の各位置決め突起４３が挿入される位置決め孔７２が形成されている。
【００４７】
基板ケース８０は、底壁８０ａと、この底壁８０ａの周縁部から上方に向けて立ち上がる側壁８０ｂとを有して構成されている。なお、図３では、側壁８０ｂの一部の図示を省略しているが、側壁８０ｂが底壁８０ａの周縁部全体に渡って形成されている。
【００４８】
側壁８０ｂの上面（上端）には、後記するケースパッキン９０が装着される凹状の溝８０ｃが周方向全体に渡って形成されている。なお、この溝８０ｃは、タッチパネルガイド４０、基板７０およびフレキシブル基板３１を含む領域の外側を囲むことができる位置に形成されている。
【００４９】
ケースパッキン９０は、ゴムなどの弾性材料によって断面視Ｕ字状に形成されるとともに（図５、図６参照）、基板ケース８０の溝８０ｃに沿って連続して形成されている。また、ケースパッキン９０には、周方向の一部（本実施形態では２箇所）に上部が凹状に切り欠かれた凹部９１，９１が形成されている。なお、この凹部９１は、カバー２０に形成されたリブ２０ｄ（図６参照）の凹部２０ｅ（図６参照）と対応する位置に形成されている。
【００５０】
パネルパッキン１００は、カバー２０の窓部２０ａとタッチパネル３０との間の隙間を密閉するものであり、ゴムなどの弾性材料によって四角枠状に形成されている。また、パネルパッキン１００は、断面視Ｕ字状に形成され（図５、図６参照）、タッチパネル３０の外周縁部全体に渡って設けられている。
【００５１】
また、パネルパッキン１００の外周面には、周方向に間隔を置いて複数の弾性突部１０１が形成されている。これにより、タッチパネル３０がタッチパネルガイド４０に載置されたときに、各弾性突部１０１が枠部４１ａの内壁面に当接し、タッチパネル３０がタッチパネルガイド４０にガタツキなく支持される。
【００５２】
ハーネスパッキン１１０は、ケースパッキン９０の上に重ねて配置され、基板７０から基板ケース８０の外部にハーネスのケーブルＣａ（図６参照）を引き出すためのものである。なお、ハーネスパッキン１１０は、２ヶ所に設けられているが、１ヶ所であってもよく、３箇所以上であってもよい。また、ハーネスパッキン１１０は、ケースパッキン９０よりも硬質のゴムによって構成されている。
【００５３】
図４は、操作パネルの制御ブロック図である。
図４に示すように、制御部１６は、基板７０上に、ＣＰＵ（Central Processing Unit、ＲＯＭ（Read Only Memory）、ＲＡＭ（Random Access Memory）、入出力部などを備えて構成されている。
【００５４】
制御部１６は、表示操作部１０の入力操作によって生成された信号に基づいて、表示パネル５０に表示する表示信号を決定して制御信号を生成し、また設定機能表示部１２の表示部１２ａ〜１２ｇを点灯または消灯させる制御信号を適宜生成する。
【００５５】
また、制御部１６は、操作部１１の入力操作によって生成された信号に基づいて、表示パネル５０に表示する表示信号を決定して制御信号を生成する。また、制御部１６は、操作スイッチ１３と表示操作部１０の操作に基づいて、表示パネル５０に表示する表示信号を決定して制御信号を生成する。
【００５６】
また、制御部１６は、洗濯機Ａの運転中において、現在の運転状況を取得し、表示パネル５０に表示する表示内容を決定して制御信号を生成する。
【００５７】
図５は、図２のＡ−Ａ線矢視断面図である。
図５に示すように、操作パネル４では、基板ケース８０内において基板７０が底壁８０ａに沿って配置され、基板ケース８０の溝８０ｃにケースパッキン９０が配置されている。そして、基板７０上には、表示パネル５０を取り付けた表示パネルガイド６０が配置され、表示パネル５０が基板７０から所定の高さに配置されている。そして、タッチパネル３０を取り付けたタッチパネルガイド４０が表示パネルガイド６０の上方から配置されるが、このとき表示パネルガイド６０がタッチパネルガイド４０の開口部４２内に位置するように挿入される。これにより、タッチパネル３０と表示パネル５０とが上下に重なり、タッチパネル３０の下方に表示パネル５０が配置される。
【００５８】
そして、タッチパネル３０を取り付けたタッチパネルガイド４０の上方からカバー２０が被せられる。このとき、カバー２０の裏面に形成されたリブ２０ｄの先端（下端）が、基板ケース８０の溝８０ｃ内に配置されたケースパッキン９０を上方から押圧することで、基板ケース８０とカバー２０との間が密閉される。また、カバー２０の窓部２０ａの縁部２０ｆが上方からタッチパネルパッキン１００を押圧することで、タッチパネル３０の縁部と窓部２０ａの縁部２０ｆとの間がタッチパネルパッキン１００を介して密閉される。
【００５９】
このように、表示操作部１０は、表示パネル５０の上方にタッチパネル３０（強化ガラス３２＋電極基板３３）が重ねられることで構成されている。よって、利用者（ユーザ）は、表示パネル５０に表示された画面（画像）を、表示パネルガイド６０の開口部４２、透明な電極基板３３および透明な強化ガラス３２を通して窓部２０ａから視認できるようになっている。なお、強化ガラス３２は、表示操作部１０と操作部１１にまたがるサイズである。
【００６０】
また、図５に示すように、設定機能表示部１２は、基板７０に実装された発光素子７１の上方に略筒状の導光路４４が位置し、導光路４４の上方に強化ガラス３２が位置することで構成されている。よって、発光素子７１からの光は、導光路４４を通って強化ガラス３２の裏面に照射され、強化ガラス３２にスクリーン印刷などで形成された表示部１２ａ〜１２ｇの文字や絵文字を発光させるようになっている。
【００６１】
図６は、図２のＢ−Ｂ線矢視断面図である。
図６に示すように、操作部１１は、タッチパネル３０（強化ガラス３２＋電極基板３３）のみで構成されている。つまり、操作部１１では、ユーザのタッチ操作のみを検出するので、タッチパネル３０の下に表示パネル５０を配置する必要がないものである。
【００６２】
このように、画面の切り換えと入力操作が可能な表示操作部１０と、入力操作のみが可能な操作部１１とを、一枚のタッチパネル３０によって構成している。よって、表示操作部１０と操作部１１とを別々の部材で構成する場合よりも、表示操作部１０と操作部１１とを近接して配置することができ、しかも部品の共有化によりコストを低減することができる。
【００６３】
また、図６のＣ部拡大図に示すように、ハーネスパッキン１１０が設けられる位置において、カバー２０のリブ２０ｄに形成された凹部２０ｅの先端（下端）が、ハーネスパッキン１１０の溝１１０ｄに挿入される。また、ハーネスパッキン１１０の基部１１０ａの下端部が基板ケース８０の溝８０ｃに挿入され、ハーネスパッキン１１０とケースパッキン９０とが上下に重ねて配置される。カバー２０が上方から押圧されることで、リブ２０ｄ（凹部２０ｅ）によってハーネスパッキン１１０が押圧され、ハーネスパッキン１１０によってケースパッキン９０が押圧される。
【００６４】
これにより、ハーネスのケーブルＣａと貫通孔１１０ｂとの隙間が密閉されるとともに、基板ケース８０が、ハーネスのケーブルＣａの位置においても密閉される。なお、このとき、ハーネスパッキン１１０の位置決め部１１０ｅによって形成された凹部１１０ｆ（図６のＣ部拡大図参照）が、基板ケース８０の溝８０ｃに形成された縁部８０ｅと嵌合することにより、基板ケース８０に対するハーネスパッキン１１０の位置ずれを防止できる。
【００６５】
次に、操作パネル４の操作による表示操作部１０と表示部１２ａ〜１２ｇの表示例について図７ないし図９を参照して説明する。なお、図７ないし図９に示す表示例は、複数の表示パターンのうちの一例を示すものであって、本実施形態に限定されるものではない。
図７は、発光部が発光する際の表示例を示す画面遷移図である。また、図７では、表示部１２ａ〜１２ｇのうちの表示部１２ａ〜１２ｄが発光（点灯）する場合について説明する。また、ここでは、お湯取に関する機能が初期化され、表示部１２ａ〜１２ｄが消灯している状態を基準として説明する。
【００６６】
図７（ａ）に示すように、制御部１６（図４参照）は、表示操作部１０（図２参照）に表示された「洗濯」ボタンが押された（タッチ操作された）ことを検知すると、表示パネル５０を制御して、表示操作部１０を、図７（ｂ）に示す洗濯運転におけるコースを選択する階層の画面に切り替える（遷移させる）。図７（ｂ）の表示操作部１０には、「標準」ボタン、「すすぎ１回」ボタン、「おいそぎ」ボタン、「節水」ボタン、「念入り」ボタン、「手造り」ボタン、「毛布」ボタン、「ドライ」ボタンが表示される。また、図７（ｂ）の表示操作部１０の右上には、「＜＜＜前１／２次＞＞＞」が表示され、画面を切り替えることができる。なお、図７（ｂ）に示す「１／２」は、全２画面のうちの１画面目であることを示し、「次＞＞＞」ボタンを押すことにより、２画面目に切り替わって、さらに別の種類のコース（不図示）選択が可能になる。
【００６７】
また、制御部１６（図４参照）は、図７（ｂ）に示す表示操作部１０の「標準」ボタンが押されたことを検知すると、表示パネル５０を制御して、表示操作部１０を、図７（ｃ）に示す標準コースで設定可能な項目を示す階層の画面に切り替える（遷移させる）。すなわち、図７（ｃ）の表示操作部１０には、「お湯取」ボタン、「予約」ボタン、「洗い」ボタン、「すすぎ」ボタン、「脱水」ボタンが表示される。なお、「お湯取」ボタンは、風呂水を使用するか否かを設定するボタンである。「予約」ボタンは、予約運転をするか否かを設定するボタンである。「洗い」ボタンは、洗い時間を設定するボタンである。「すすぎ」ボタンは、すすぎ回数を設定するボタンである。「脱水」ボタンは、脱水時間を設定するボタンである。また、図７（ｃ）の表示操作部１０の右上には、「＜＜＜前１／３次＞＞＞」が表示されている。この「１／３」は、３画面のうちの１画面目であることを示し、２画面目および３画面目にその他の設定項目があることを示している。
【００６８】
また、制御部１６（図４参照）は、図７（ｃ）に示す表示操作部１０の「お湯取」ボタンが押されたことを検知すると、表示パネル５０を制御して、表示操作部１０を、図７（ｄ）に示すお湯取を使用するタイミングを設定する階層の画面に切り替える（遷移させる）。すなわち、図７（ｄ）の表示操作部１０には、「なし」ボタン、「洗い」ボタン、「洗い  すすぎ１」ボタン、「洗い  すすぎ１  すすぎ２」ボタンが表示される。なお、「なし」ボタンは、風呂水を使用しない場合に設定にするボタンである。「洗い」ボタンは、洗い時のみ風呂水を使用する場合に設定するボタンである。「洗い  すすぎ１」ボタンは、洗い時と１回目のすすぎ時に風呂水を使用する場合に設定するボタンである。「洗い  すすぎ１  すすぎ２」ボタンは、洗い時と１回目および２回目のすすぎ時に風呂水を使用する場合に設定するボタンである。
【００６９】
また、制御部１６は、図７（ｄ）の表示操作部１０の画面において、「洗い」ボタンが押されたことを検知した場合には、表示部１２ａ，１２ｂ（図２参照）を点灯させる（発光させる）。また、制御部１６は、図７（ｅ）に示すように、図７（ｃ）の階層の画面に戻るように表示操作部１０を制御するとともに、「お湯取」ボタンの下段の「なし」表示を「洗い」表示に切り替える。
【００７０】
また、制御部１６は、図７（ｄ）の表示操作部１０において、「洗い  すすぎ１」ボタンが押されたことを検知した場合には、表示部１２ａ，１２ｂ，１２ｃ（図２参照）を点灯させる（発光させる）。また、制御部１６は、図７（ｆ）に示すように、図７（ｃ）の階層の画面に戻るように表示操作部１０を制御するとともに、「お湯取」ボタンの下段の「なし」表示を「洗い  すすぎ１」表示に切り替える。
【００７１】
また、制御部１６は、図７（ｄ）の表示操作部１０において、「洗い  すすぎ１  すすぎ２」ボタンが押されたことを検知した場合には、表示部１２ａ，１２ｂ，１２ｃ，１２ｄ（図２参照）を点灯させる（発光させる）。また、制御部１６は、図７（ｇ）に示すように、図７（ｃ）の階層の画面に戻るように表示操作部１０を制御するとともに、「お湯取」ボタンの下段の「なし」表示を、「洗い  すすぎ１  すすぎ２」表示に切り替える。
【００７２】
なお、表示部１２ａ〜１２ｄでは、その後の運転において設定が変更されるまで、点灯状態を継続する。ただし、その後の運転において、お湯取ができないコースを選択した場合には、表示部１２ａ〜１２ｄが消灯する。また、その後、お湯取を選択できるコースに復帰した場合には、表示部１２ａ〜１２ｄが再点灯する。つまり、お湯取の設定を解除（図７（ｄ）の「なし」ボタンを押す操作）をするまで設定内容を記憶し続ける。
【００７３】
図８は、操作部の操作に基づく表示操作部の表示例を示す画面遷移図である。なお、図８（ａ）〜図８（ｄ）は、図７（ａ）〜図７（ｄ）と同様の画面である。
制御部１６は、図８（ｃ）の画面において、操作部１１（図２参照）の「おしえて」ボタン１１ｃ（図２参照）が押されたことを検知すると、表示パネル５０を制御して、表示操作部１０に、図８（ｃ−１）に示すように、適した洗濯物のタイプを説明する画面を表示する。また、制御部１６は、「次＞＞＞」ボタンが押されたことを検知すると、表示パネル５０を制御して、表示操作部１０に、図８（ｃ−２）に示すように、洗濯容量、設定可能な機能の画面を表示する。さらに、制御部１６は、「次＞＞＞」ボタンが押されたことを検知すると、表示パネル５０を制御して、表示操作部１０に、図８（ｃ−３）に示すように、その他の設定可能な機能や使用に適した洗剤のタイプを表示する。
【００７４】
また、制御部１６は、図８（ｄ）の画面において、操作部１１（図２参照）の「おしえて」ボタン１１ｃ（図２参照）が押されたことを検知すると、表示パネル５０を制御して、表示操作部１０に、図８（ｄ−１）に示すように、「なし」ボタンを操作した場合の説明画面を表示する。また、制御部１６は、表示パネル５０を制御して、表示操作部１０に、図８（ｄ−２）に示すように、「洗い」ボタンを操作した場合の説明画面を表示する。また、制御部１６は、表示パネル５０を制御して、表示操作部１０に、図８（ｄ−３）に示すように、「洗い  すすぎ１」ボタンを操作した場合の説明画面を表示する。また、制御部１６は、表示パネル５０を制御して、表示操作部１０に、図８（ｄ−４）に示すように、「洗い  すすぎ１  すすぎ２」ボタンを操作した場合の説明画面を表示する。また、制御部１６は、表示パネル５０を制御して、表示操作部１０に、図８（ｄ−５）に示すように、お湯取の設定の切り換え方の説明画面を表示する。また、制御部１６は、表示パネル５０を制御して、表示操作部１０に、図８（ｄ−６）に示すように、お湯取の設定ができない場合の対処方法の説明画面を表示する。
【００７５】
このように、「おしえて」ボタン１１ｃを操作部１１としていつでも押下げ可能な構成にすることで、表示操作部１０には、各階層の画面ごとに最適な情報が表示される。なお、本実施形態の洗濯機Ａでは、どの階層の画面であっても、「おしえて」ボタンを操作することで、常に説明が表示されるように構成されている。
【００７６】
図９は、運転中の操作部の操作に基づく表示操作部の表示例を示す画面遷移図である。なお、図９では、洗濯から乾燥までを行う洗濯乾燥運転（標準コース）を実行している場合を例に挙げて説明する。
【００７７】
図９（ａ）〜図９（ｄ）に示すように、制御部１６は、表示操作部１０に、運転終了までの残り時間を表示するとともに、洗い工程、すすぎ工程、脱水工程、乾燥工程のうち現在運転している工程を強調表示する。また、「洗い」、「すすぎ」、「脱水」、「乾燥」の各文字の上方には、運転前に設定された運転条件が表示される。
【００７８】
図９（ａ）〜図９（ｄ）の画面において、制御部１６は、操作部１１（図２参照）の「おしえて」ボタン１１ｃ（図２参照）が押されたことを検知すると、表示パネル５０を制御して、表示操作部１０に、図９（ｅ−１）に示すように、洗い、すすぎ、脱水、乾燥のそれぞれの詳細な設定条件の画面を表示する。また、制御部１６は、表示パネル５０を制御して、表示操作部１０に、図９（ｅ−２）に示すように、表示部１２ｅ〜１２ｇに対応する機能の設定状態画面を表示する。また、制御部１６は、表示パネル５０を制御して、表示操作部１０に、図９（ｅ−３）に示すように、その他の機能の設定状態画面を表示する。
【００７９】
このように、運転中に、「おしえて」ボタン１１ｃを押すことで、運転工程が変化しても、現在動作しているコースおよび設定状態を確認することができる。
【００８０】
また、「ホーム」ボタン１１ａを常時操作可能な操作部１１として構成することにより、ホーム画面（図２参照）に戻る場合に、「もどる」ボタンを複数回操作して戻る必要がなくなり、操作性を向上させることができる。
【００８１】
以上説明したように、本実施形態に係る洗濯機Ａでは、操作パネル４として、画面が階層状に遷移するタッチパネル式の表示操作部１０と、表示操作部１０により設定された機能に対応した表示部１２ａ〜１２ｇを発光する設定機能表示部１２と、を備えている（図２参照）。これによれば、表示操作部１０の画面が遷移しても、ユーザは設定済の機能（お湯取、槽洗浄、槽乾燥、ｅｃｏ水センサ）を常に確認することができる。
【００８２】
また、本実施形態では、タッチパネル式の操作部１１を備え、操作部１１が表示操作部１０に近接して配置され、表示操作部１０と操作部１１と設定機能表示部１２を、同一のガラス面内に配置した（図２、図３参照）。このように、表示操作部１０と操作部１１とを、同一のガラス（強化ガラス３２）面内に配置することで、指の操作感を変えることなく操作できるようになり、操作性を向上させることが可能になる。また、タッチパネル３０のガラス部品（強化ガラス３２）を共有することにより、製造が容易になり、また製造コストを低減することができる。また、ガラス（強化ガラス３２）面にシート印刷を施すことにより、印刷によって文字や絵文字の変更にて対応できるので、表示操作部１０と操作部１１と設定機能表示部１２の設計変更の対応が容易になる。また、表示操作部１０と操作部１１の双方をタッチパネル式にすることにより、表示操作部１０と操作部１１とを近接して配置することが可能となり、操作時の指の移動距離を短く抑えることができ、操作性を向上させることが可能になる。
【００８３】
また、本実施形態では、操作部１１を操作した場合、運転前に表示操作部１０で設定された内容を、運転中に表示操作部１０に表示する制御部１６を備えている（図９参照）。これによれば、運転中に設定済の内容を確認できることで、その後の設定変更などを容易に行うことができる。
【００８４】
また、本実施形態では、操作パネル４にはガラス（強化ガラス３２）面とは別の位置に押下げ式の操作スイッチ１３が備えられ、制御部１６は、表示操作部１０と操作スイッチ１３とを組み合わせて操作することで、表示操作部１０に通常の運転内容とは異なる特殊操作画面を表示する。なお、特殊操作画面とは、メンテナンス用の画面、デモ用の画面などである。
【００８５】
なお、本発明は前記した実施形態に限定されるものではなく、本発明の趣旨を逸脱しない範囲において種々変更することができる。例えば、本実施形態では、表示操作部１０と操作部１１と設定機能表示部１２の位置関係については操作性を損なわない範囲において種々変更することができる。
【符号の説明】
【００８６】
Ａ      洗濯機
１      筐体
２      外槽（洗濯槽）
３      回転ドラム（洗濯槽）
４      操作パネル
１０    表示操作部
１１    操作部
１２    設定機能表示部
１２ａ〜１２ｇ  表示部
１３    操作スイッチ
１６    制御部
３０    タッチパネル
３２    強化ガラス（ガラス）
３３    電極基板
【図１】
0006035219.tif 000002
【図２】
0006035219.tif 000003
【図３】
0006035219.tif 000004
【図４】
0006035219.tif 000005
【図５】
0006035219.tif 000006
【図６】
0006035219.tif 000007
【図７】
0006035219.tif 000008
【図８】
0006035219.tif 000009
【図９】
0006035219.tif 000010